(57)【要約】【課題】  従来、ケーシングの吸込側の複数の回転パンチング板と、この吸込側に迂回通路を形成し、その吹出側に羽根車とモータを内装した浮遊ミスト捕捉機が提案されており有効である。しかし、近時、使用の状態・合理化等の面から、小型化と、保守管理の容易なオイルミストコレクタが要望されている。【解決手段】  吸込側に吸込口を、吹出側に吹出口を有するケーシングで、吸込側には、吸込口に繋がる入口側と、吹出側に開口する出口側を有する迂回通路を設け、吹出側には、二枚のパンチング板と、この二枚のパンチング板と羽根車を支持する出力軸を備えたモータを設け、羽根車の吸込み力で、吸込んだオイルミストを、迂回通路で比重分離し、パンチング板で衝突分離し、デミスターで捕捉分離するオイルミストコレクタ。【選択図】          図２
2010227802.tif 000002
【特許請求の範囲】
【請求項１】
オイルミストコレクタのケーシングには、吸込側に吸込口を、吹出側に吹出口を有するとともに、その両側に側板を有する構造であり、
この吸込側には、前記吸込口に繋がる入口側と、吹出側に開口する出口側を有するオイルミストの迂回通路を設け、
また、この吹出側には、少なくとも二枚のパンチング板と、この二枚のパンチング板と羽根車を支持する出力軸を備えたモータを設け、
前記羽根車の吸込み力で、前記吸込口より吸込んだオイルミストを、前記迂回通路で比重分離しつつ、前記二枚のパンチング板で衝突分離し、かつ前記吸込側と吹出側に設けたデミスターで捕捉分離する構成としたオイルミストコレクタ。
【請求項２】
オイルミストコレクタのケーシングには、吸込側に、その接線方向に設けた吸込口を、吹出側に吹出口を有するとともに、その両側に側板を有する構造であり、
この吸込側には、前記吸込口に繋がる入口側と、吹出側に開口する出口側を有するオイルミストの迂回通路を設け、
また、この吹出側には、少なくとも二枚のパンチング板と、この二枚のパンチング板と羽根車を支持する出力軸を備えたモータを設け、
前記二枚のパンチング板の内の一枚のパンチング板を、前記迂回通路の出口側に間隔をおいて設けるとともに、他の一枚のパンチング板を、前記羽根車のベルマウスに間隔をおいて設ける構成としたオイルミストコレクタ。
【請求項３】
請求項２に記載のオイルミストコレクタにおいて、
前記迂回通路を、前記ケーシングの吸込側の内方に設けたリング形状の支持板と、この支持板に隣接し、かつ軸芯方向に向かって遊離する側面視してく字形に曲折したリング形状の壁体と、この壁体の曲折部と、前記支持板の軸芯基端に設けた複数の支持片の間に設けた環状のパンチング筒片と、前記吸込側の側板に基端を設け、前記パンチング筒片に自由端が至り、かつこの吸込側の内面との間に外側通路を形成するために設けた内筒と、この内筒の取付け側と、前記吸込側の側板との間に設けたデミスターと、また、この内筒の内面との間に内側通路を形成するために設けた中子通路となる開放筒形の中子筒で構成し、この中子筒の内方基端と、前記支持板の軸芯基端に設けた窓孔、及び前記壁体のリング形状の壁面で、この戻り通路を形成する構成としたオイルミストコレクタ。
【請求項４】
請求項２に記載のオイルミストコレクタにおいて、
前記吹出側に吹出通路としての間隔をおいて筒状のパンチング環体を設け、このパンチング環体の内側に間隔をおいて前記羽根車と、吸込用のベルマウスを設け、また、前記パンチング環体の吸込側に遮蔽板を設けるとともに、この遮蔽板の開口と、前記ベルマウスの開口とを略同寸とし、さらに、このパンチング環体と吹出側の内面との間にデミスターを設け、また、前記羽根車の吹出口を前記パンチング環体に位置する構成としたオイルミストコレクタ。
【請求項５】
請求項２に記載のオイルミストコレクタにおいて、
前記ケーシングを、吸込側と吹出側の繋ぎ部において分割し、この繋ぎ部に設けた帯体で、この繋ぎ部を水密にする構成としたオイルミストコレクタ。
【請求項６】
請求項５に記載のオイルミストコレクタにおいて、
前記繋ぎ部を基点として、分割することで、前記吸込側に設けた側体に設けた内筒と、支持板に設けたパンチング筒片、及び壁体、並びに中子筒を、取外し可能とする構成としたオイルミストコレクタ。
【請求項７】
請求項５に記載のオイルミストコレクタにおいて、
前記繋ぎ部を基点として、分割することで、前記吹出側の二枚のパンチング板と、ベルマウス、及び羽根車の清掃を可能とする構成としたオイルミストコレクタ。
【発明の詳細な説明】
【技術分野】
【０００１】
本発明は、ＮＣ工作機械、加工工作機械等の機械に設置されたオイルミスト中に含まれる微粒子オイル（微細油分）と切削粉塵を捕集するオイルミストコレクタに関する。
【背景技術】
【０００２】
従来、例えば、ＮＣ工作機械、加工工作機械等の如く、水溶性、油性等の各切削液を使用する装置に設置されたオイルミストコレクタ（オイルミスト除去装置）を介して、加工時に発生する油分（ミスト状の油分）を含んだ排気は、油水分離される。しかし、従来のオイルミストコレクタでは、捕集（回収）能率が十分でなく問題がある。例えば、ミストが、空気中に拡散し、工場内の空気及び／又は床面、加工機械等の設備を汚染し、また環境悪化と、健康維持に問題が発生する。このような状況を回避するために、種々のオイルミストコレクタが、提案されており、その好ましい一例が、先行文献で見られる。そして、また、本発明と関係があると考えられるものとして、次に列挙する文献（１）〜文献（３）の構造を提示し、かつその概要を説明する。
【０００３】
最初に文献（１）は、特開２００１−３８１２４の「オイルミスト除去装置」であって、その構造は、ハウジングの吸入口からミスト混入気体を接線方向に流す切欠き部を有する渦巻き案内板と、この切欠き部に設けた流入口と、この流入口に連なる誘導路と、この誘導路に間隔をおいて設けたネット部材に覆われている分離部材と、この分離部材の終端に設けられている排出口でなり、この分離部材でのミストの捕獲の向上を図りつつ、気体の流通抵抗の軽減化を図ることを意図する。
【０００４】
また、文献（２）は、特開２００３−２２５５２４の「オイルミスト除去装置」であって、その構造は、軸芯方向の中心部に吸込側に吸込口を、吹出側に吹出口を供えたケーシングの吸込側に、フィルタケージを介して積層した入側フィルターを、中間部に羽根車を設け、その吹出側にモータと、このモータの外側周辺に積層した出側フィルターを設けた構造であり、フィルタケージの側面側への引出しを介して、入側フィルターの清掃を容易としたことを特徴とする。
【０００５】
さらに、文献（３）は、特開２００４−１６８４２の「ミスト回収装置」であって、その構造は、ケーシングに内装した回転軸に、間隔をおいてパンチング構造の回転板と、ドーナツ形状の衝突板を交互に配置するとともに、この回転板と衝突板をモータで回転する構造であり、この回転板による遠心・捕集分離を繰返しつつ、衝突板による微粒子化し、ミストの捕捉と、空気の清澄化を図ることを意図する。
【０００６】
以上のような文献（１）〜（３）に対して、本出願人は、ケーシングの吸込側に迂回通路を形成し、吸込側に複数の回転パンチング板と、羽根車とモータを内装した浮遊ミスト捕捉機を提案する。
【０００７】
【特許文献１】特開２００１−３８１２４
【特許文献２】特開２００３−２２５５２４
【特許文献３】特開２００４−１６８４２
【発明の概要】
【発明が解決しようとする課題】
【０００８】
前記文献（１）、（２）においては、回転するパンチング板を備えない構造であり、オイルミストのオイル捕集及び／又は微粒子化において、問題を残すことと、フィルターに過度の捕集を負担させることから、その清掃頻度及び／又はメンテナンスの管理等の如く、保守管理に問題を残している。また、保守管理に手間を要することは、製造現場での採用が躊躇をされること、能率低下と、コスト上昇を招き、改良の余地がある。
【０００９】
尚、文献（３）では、パンチング構造の回転板と、ドーナツ形状の衝突板を交互に配置することで、前記文献（１）、（２）の改良に役立つことが考えられるが、構造が簡易的であり、本来の目的（オイル捕集及び／又は微粒子化と、等）を達成できるが、構造上において、清掃の簡易化と、保守管理の容易化等の面で改良の余地がある。
【００１０】
また、本出願人が提案する従来発明では、本来の目的を達成できるが、採用箇所では、更なる構造の簡略化と、清掃の簡易化と、又は保守管理の容易化等の面で改良の余地がある。
【課題を解決するための手段】
【００１１】
請求項１の発明は、ケーシングに迂回通路を設け、オイルミストの滞留時間を確保し、かつ大小の二枚のパンチング板で、細粒化を図り、オイル捕集及び／又は微粒子化オイルミストの吸込と、清澄空気の吹出しを図る構造であり、オイル捕集及び／又は微粒子化を図りつつ、捕集効率と、清澄空気の生成を図ること等を意図する。
【００１２】
請求項１は、オイルミストコレクタのケーシングには、吸込側に吸込口を、吹出側に吹出口を有するとともに、その両側に側板を有する構造であり、
この吸込側には、前記吸込口に繋がる入口側と、吹出側に開口する出口側を有するオイルミストの迂回通路を設け、
また、この吹出側には、少なくとも二枚のパンチング板と、この二枚のパンチング板と羽根車を支持する出力軸を備えたモータを設け、
前記羽根車の吸込み力で、前記吸込口より吸込んだオイルミストを、前記迂回通路で比重分離しつつ、前記二枚のパンチング板で衝突分離し、かつ前記吸込側と吹出側に設けたデミスターで捕捉分離する構成としたオイルミストコレクタである。
【００１３】
請求項２の発明は、ケーシングに迂回通路を設け、オイルミストの滞留時間を確保し、かつ大小の二枚のパンチング板で、細粒化を図り、オイル捕集及び／又は微粒子化オイルミストの吸込と、清澄空気の吹出しを図る構造であり、オイル捕集及び／又は微粒子化を図りつつ、捕集効率と、清澄空気の生成を図ること等を意図する。
【００１４】
請求項２は、オイルミストコレクタのケーシングには、吸込側に、その接線方向に設けた吸込口を、吹出側に吹出口を有するとともに、その両側に側板を有する構造であり、
この吸込側には、前記吸込口に繋がる入口側と、吹出側に開口する出口側を有するオイルミストの迂回通路を設け、
また、この吹出側には、少なくとも二枚のパンチング板と、この二枚のパンチング板と羽根車を支持する出力軸を備えたモータを設け、
前記二枚のパンチング板の内の一枚のパンチング板を、前記迂回通路の出口側に間隔をおいて設けるとともに、他の一枚のパンチング板を、前記羽根車のベルマウスに間隔をおいて設ける構成としたオイルミストコレクタである。
【００１５】
請求項３の発明は、請求項２の目的を達成することと、この目的を達成するに最適な迂回通路の構成部品を提供することを意図する。
【００１６】
請求項３は、請求項２に記載のオイルミストコレクタにおいて、
前記迂回通路を、前記ケーシングの吸込側の内方に設けたリング形状の支持板と、この支持板に隣接し、かつ軸芯方向に向かって遊離する側面視してく字形に曲折したリング形状の壁体と、この壁体の曲折部と、前記支持板の軸芯基端に設けた複数の支持片の間に設けた環状のパンチング筒片と、前記吸込側の側板に基端を設け、前記パンチング筒片に自由端が至り、かつこの吸込側の内面との間に外側通路を形成するために設けた内筒と、この内筒の取付け側と、前記吸込側の側板との間に設けたデミスターと、また、この内筒の内面との間に内側通路を形成するために設けた中子通路となる開放筒形の中子筒で構成し、この中子筒の内方基端と、前記支持板の軸芯基端に設けた窓孔、及び前記壁体のリング形状の壁面で、この戻り通路を形成する構成としたオイルミストコレクタである。
【００１７】
請求項４の発明は、請求項２の目的を達成することと、この目的を達成するに最適なパンチング環体と、羽根車と、吹出側の配置構造、又は遮蔽板の開口と、ベルマウスの開口とを略同寸とすることで、スムーズな空気の流れを確保できる構造を提供することを意図する。
【００１８】
請求項４は、請求項２に記載のオイルミストコレクタにおいて、
前記吹出側に吹出通路としての間隔をおいて筒状のパンチング環体を設け、このパンチング環体の内側に間隔をおいて前記羽根車と、吸込用のベルマウスを設け、また、前記パンチング環体の吸込側に遮蔽板を設けるとともに、この遮蔽板の開口と、前記ベルマウスの開口とを略同寸とし、さらに、このパンチング環体と吹出側の内面との間にデミスターを設け、また、前記羽根車の吹出口を前記パンチング環体に位置する構成としたオイルミストコレクタである。
【００１９】
請求項５の発明は、ケーシングを繋ぎ部から分離可能とすることで、内装した迂回通路構成部材、パンチング板、又は羽根車等の清掃の容易化と、清掃の簡略化、短時間化を図り、しかも、分割後の取付けにおいて、吸込側と吹出側の繋ぎ部の水密性を確保し、このオイルミストコレクタの機能の確保を図ること等を意図する。
【００２０】
請求項５は、請求項２に記載のオイルミストコレクタにおいて、
前記ケーシングを、吸込側と吹出側の繋ぎ部において分割し、この繋ぎ部に設けた帯体で、この繋ぎ部を水密にする構成としたオイルミストコレクタである。
【００２１】
請求項６の発明は、ケーシングを繋ぎ部から分離可能とすることで、吸込側の内面全体と、迂回通路構成部材の内筒と、パンチング筒片、壁体、又は中子筒等の清掃の容易化と、清掃の簡略化、短時間化を図ることを意図する。
【００２２】
請求項６は、請求項５に記載のオイルミストコレクタにおいて、
前記繋ぎ部を基点として、分割することで、前記吸込側に設けた側体に設けた内筒と、支持板に設けたパンチング筒片、及び壁体、並びに中子筒を、取外し可能とする構成としたオイルミストコレクタである。
【００２３】
請求項７の発明は、ケーシングを繋ぎ部から分離可能とすることで、吹出側の内面全体と、パンチング板と、ベルマウス、及び羽根車等の清掃の容易化と、清掃の簡略化、短時間化を図ることを意図する。
【００２４】
請求項７は、請求項５に記載のオイルミストコレクタにおいて、
前記繋ぎ部を基点として、分割することで、前記吹出側の二枚のパンチング板と、ベルマウス、及び羽根車の清掃を可能とする構成としたオイルミストコレクタである。
【発明の効果】
【００２５】
請求項１の発明は、オイルミストコレクタのケーシングには、吸込側に吸込口を、吹出側に吹出口を有するとともに、両側に側板を有する構造であり、
吸込側には、吸込口に繋がる入口側と、吹出側に開口する出口側を有するオイルミストの迂回通路を設け、
また、吹出側には、少なくとも二枚のパンチング板と、二枚のパンチング板と羽根車を支持する出力軸を備えたモータを設け、
羽根車の吸込み力で、吸込口より吸込んだオイルミストを、迂回通路で比重分離しつつ、二枚のパンチング板で衝突分離し、かつ吸込側と吹出側に設けたデミスターで捕捉分離する構成としたオイルミストコレクタである。
【００２６】
従って、請求項１は、ケーシングに迂回通路を設け、オイルミストの滞留時間を確保し、かつ大小の二枚のパンチング板で、細粒化を図り、オイル捕集及び／又は微粒子化オイルミストの吸込と、清澄空気の吹出しを図る構造であり、オイル捕集及び／又は微粒子化を図りつつ、捕集効率と、清澄空気の生成が図れる特徴がある。
【００２７】
請求項２の発明は、オイルミストコレクタのケーシングには、吸込側に、接線方向に設けた吸込口を、吹出側に吹出口を有するとともに、両側に側板を有する構造であり、
吸込側には、吸込口に繋がる入口側と、吹出側に開口する出口側を有するオイルミストの迂回通路を設け、
また、吹出側には、少なくとも二枚のパンチング板と、二枚のパンチング板と羽根車を支持する出力軸を備えたモータを設け、
二枚のパンチング板の内の一枚のパンチング板を、迂回通路の出口側に間隔をおいて設けるとともに、他の一枚のパンチング板を、羽根車のベルマウスに間隔をおいて設ける構成としたオイルミストコレクタである。
【００２８】
従って、請求項２は、ケーシングに迂回通路を設け、オイルミストの滞留時間を確保し、かつ大小の二枚のパンチング板で、細粒化を図り、オイル捕集及び／又は微粒子化オイルミストの吸込と、清澄空気の吹出しを図る構造であり、オイル捕集及び／又は微粒子化を図りつつ、捕集効率と、清澄空気の生成が図れること等の特徴を有する。
【００２９】
請求項３の発明は、請求項２に記載のオイルミストコレクタにおいて、
迂回通路を、ケーシングの吸込側の内方に設けたリング形状の支持板と、支持板に隣接し、かつ軸芯方向に向かって遊離する側面視してく字形に曲折したリング形状の壁体と、壁体の曲折部と、支持板の軸芯基端に設けた複数の支持片の間に設けた環状のパンチング筒片と、吸込側の側板に基端を設け、パンチング筒片に自由端が至り、かつ吸込側の内面との間に外側通路を形成するために設けた内筒と、内筒の取付け側と、吸込側の側板との間に設けたデミスターと、また、内筒の内面との間に内側通路を形成するために設けた中子通路となる開放筒形の中子筒で構成し、中子筒の内方基端と、支持板の軸芯基端に設けた窓孔、及び壁体のリング形状の壁面で、戻り通路を形成する構成としたオイルミストコレクタである。
【００３０】
従って、請求項３は、請求項２の目的を達成できることと、この目的を達成するに最適な迂回通路の構成部品を提供できること等の特徴を有する。
【００３１】
請求項４の発明は、請求項２に記載のオイルミストコレクタにおいて、
吹出側に吹出通路としての間隔をおいて筒状のパンチング環体を設け、パンチング環体の内側に間隔をおいて前記羽根車と、吸込用のベルマウスを設け、また、パンチング環体の吸込側に遮蔽板を設けるとともに、遮蔽板の開口と、ベルマウスの開口とを略同寸とし、さらに、パンチング環体と吹出側の内面との間にデミスターを設け、また、羽根車の吹出口をパンチング環体に位置する構成としたオイルミストコレクタである。
【００３２】
従って、請求項４は、請求項２の目的を達成できることと、この目的を達成するに最適なパンチング環体と、羽根車と、吹出側の配置構造、又は遮蔽板の開口と、ベルマウスの開口とを略同寸とすることで、スムーズな空気の流れを確保できる構造を提供できること等の特徴を有する。
【００３３】
請求項５の発明は、請求項２に記載のオイルミストコレクタにおいて、
ケーシングを、吸込側と吹出側の繋ぎ部において分割し、繋ぎ部に設けた帯体で、繋ぎ部を水密にする構成としたオイルミストコレクタである。
【００３４】
従って、請求項５は、ケーシングを繋ぎ部から分離可能とすることで、内装した迂回通路構成部材、パンチング板、又は羽根車等の清掃の容易化と、清掃の簡略化、短時間化が図れ、しかも、分割後の取付けにおいて、吸込側と吹出側の繋ぎ部の水密性を確保し、このオイルミストコレクタの機能の確保が図れること等の特徴を有する。
【００３５】
請求項６の発明は、請求項５に記載のオイルミストコレクタにおいて、
繋ぎ部を基点として、分割することで、吸込側に設けた側体に設けた内筒と、支持板に設けたパンチング筒片、及び壁体、並びに中子筒を、取外し可能とする構成としたオイルミストコレクタである。
【００３６】
従って、請求項６明は、ケーシングを繋ぎ部から分離可能とすることで、吸込側の内面全体と、迂回通路構成部材の内筒と、パンチング筒片、壁体、又は中子筒等の清掃の容易化と、清掃の簡略化、短時間化が図れる特徴がある。
【００３７】
請求項７の発明は、請求項５に記載のオイルミストコレクタにおいて、
繋ぎ部を基点として、分割することで、吹出側の二枚のパンチング板と、ベルマウス、及び羽根車の清掃を可能とする構成としたオイルミストコレクタである。
【００３８】
従って、請求項７は、ケーシングを繋ぎ部から分離可能とすることで、吹出側の内面全体と、パンチング板と、ベルマウス、及び羽根車等の清掃の容易化と、清掃の簡略化、短時間化が図れる特徴がある。
【図面の簡単な説明】
【００３９】
【図１】オイルミストコレクタの使用状態の一例を示した縮尺模式図
【図２】オイルミストコレクタを分解し、その要部を個別に示した斜視図
【図３】オイルミストコレクタの断面模式図
【図４】オイルミストコレクタに繋げる補助オイルミストコレクタ（補助オイルミスト除去機）の一例を一部欠截して示した拡大斜視図
【図５】補助オイルミストコレクタの側面模式図
【図６】補助オイルミストコレクタの平面模式図
【発明を実施するための形態】
【００４０】
１は装置Ｘの天板面に設けられるオイルミストコレクタ（オイルミスト除去機）のケーシングで、この筒状のケーシング１は、吸込側１ａの側板２と、吹出側１ｂの側板３を有しており、この側板３は、環状枠部３ａと、この環状枠部３ａより内方に窪んだ環状板部３ｂ、並びにこの環状板部３ｂの内面端部に設けた底板部３ｃで構成し、このケーシング１の内面１ｄより内方に、環状板部３ｂと底板部３ｃが位置する。そして、この一例では、側板２を下側に、側板３を上方に設置する縦置き構造であるが、一例であり、横置きもあり得る。
【００４１】
このケーシング１の吸込側１ａには、その接線方向に吸込口５が設けられており、この吸込口５には吸込管５ａが設けられる。この接線方向に設けることで、後述する迂回通路において、オイルミストの旋回流を生成する。また、ケーシング１の吹出側１ｂには吹出口６が設けられるが、この例では、環状板部３ｂに複数口設けられており、緩やかに清澄空気を排出することと、後述するデミスターへの接触効率と、迂回構造を図ることで、例えば、滞留時間の確保を図る。
【００４２】
そして、このケーシング１の吸込側１ａと吹出側１ｂは、繋ぎ部１ｃを利用して、水密（密着）状態に一体化されることと、この繋ぎ部１ｃの分離で、吹出側１ｂから吸込側１ａと、この吸込側１ａに内装した後述する迂回通路Ａの構成部材と、この吸込側１ａの内面１ｄの清掃ができる。また、この吹出側１ｂに内装した後述する２枚のパンチング板、ベルマウス（吸込口）、羽根車、モータと、又は吹出側１ｂの内面１ｄの清掃ができる。そして、この繋ぎ部１ｃは、吹出側１ｂに設けた取付片と、吸込側１ａに設けた螺孔、並びに取付けナット等の部材を解して一体化する（この繋ぎ部１ｃは、帯体にすることもできる）。尚、この一例では、吸込側１ａの自由端を、吹出側１ｂの自由端に套嵌する構造であり、前記水密と緊締を確保する。
【００４３】
この吸込側１ａには、その接線方向に外接した吸込口５より吸込まれたオイルミストに旋回力を与え、かつこの吸込側１ａでの滞留時間を確保するために迂回通路Ａを形成する。この迂回通路Ａにおける滞留時間と、前記接線方向からの吸込による旋回流を利用し、切屑（きりこ、加工屑）とオイルの比重分離及び／又はその効率化を図る。
【００４４】
そして、迂回通路Ａは、吸込側１ａに吸込口５に繋がる入口側Ａａと、吹出側１ｂに後述する中子通路の開口の出口側Ａｂを有し、ケーシング１の吸込側１ａの内方に設けた、この内面１ｄに当接されるリング形状の支持板１０と、この支持板１０の後ろ側（吹出側１ｂ）において、その外側が隣接し、かつ軸芯方向に向かった内側が遊離する側面視してく字形に曲折したリング形状の壁体１１と、この壁体１１の略中間の曲折部１１ａと、前記支持板１０の軸芯基端に設けた複数の支持片１０ａの間に設けた環状のパンチング筒片１２と、吸込側１ａの側板２に基端を設け、パンチング筒片１２に自由端が至り、かつこの吸込側１ａの内面１ｄとの間に外側通路Ａ１を形成するために設けた内筒１４と、この内筒１４の取付け側と、前記吸込側１ａの側板２との間に設けたデミスター１５と、また、この内筒１４の内面との間に内側通路Ａ２を形成するために設けた中子通路Ａ３を内方に形成する開放筒形の中子筒１６と、前記支持板１０に設けた窓孔１７付き開口１８と、前記壁体１１のリング形状の壁面１１ｂで形成した戻り通路Ａ４で構成する。そして、前記開口１８には、外側にパンチング筒片１２が、内側に中子筒１６が順次設けられる。そして、この吸込側１ａで分離されたオイルは、内筒１４・中子筒１６の内外面、壁体１１の内側、デミスター１５等の表面を流れながら、最終的には、自重により、この吸込側１ａの内面１ｄ下側に至った後、後述するドレン管４５に至る。
【００４５】
そこで、この迂回通路Ａの動作を説明すると（オイルミストＢ、空気Ｂ１の流れを矢印で図示する）、吸込口５より吸込まれたオイルミストＢは、外側通路Ａ１を旋回しながら（ケーシング１の内面１ｄと、内筒１４の外面の間を旋回しながら）吹出側１ｂ（支持板１０側）に移動する。そして、支持板１０の窓孔１７を通り、戻り通路Ａ４を経由した後、内筒１４の内面と、中子筒１６の外面で形成される内側通路Ａ２を経由し、デミスター１５に至る。そして、このデミスター１５で、オイルの捕集と、清澄化が図れる（空気Ｂ１となる）。その後、この空気Ｂ１は、中子筒１６の中子通路Ａ３を通って、吹出側１ｂに至る流れとなる。
【００４６】
次に、吹出側１ｂには、側板３の底板部３ｃに支持し、かつ吸込側１ａに向かって突出した出力軸２０ａを有するモータ２０と、この出力軸２０ａに設けた羽根車２１と、この羽根車２１の吸込側１ａに向かって、順次、かつ間隔を持って設けた二枚のパンチング板２２、２３（孔を有する）と、羽根車２１の羽根車筐２１ａ（羽根車を収容するケース）に設けたベルマウス２５と、このベルマウス２５と、パンチング板２２の間に設けたベルマウス２５の開口２５ａと同寸の開口２６ａを有する（吹出側１ｂの内面１ｄに当接した）遮蔽板２６と、前記羽根車２１に吹出通路Ａｃとしての間隔をおいて、かつ前記遮蔽板２６に基端を支持して設けたパンチング環体２８と、このパンチング環体２８と内面１ｄの間に設けたデミスター２９が設けられている。そして、この吹出側１ｂにおける空気Ｂ１の流れは、前記中子筒１６の開口１６ａを基点とし、パンチング板２３、２２からベルマウス２５の開口２５ａに至り、羽根車２１の羽根車筐２１ａの吹出口２１ｂを経由し、パンチング環体２８からデミスター２９に至り、その後、側板３の吹出口６を経由してオイルミストコレクタ外に排気される。そして、この遮蔽板２６の開口２６ａと、ベルマウス２５の開口２５ａとを略同寸とすることで、スムーズな空気Ｂ１の流れを確保できる構造を提供できる。尚、パンチング環体２８の一方（吹出側１ｂ）は開放し、デミスター２９の挿入手段とすることと、空気Ｂ１のパンチング環体２８からデミスター２９を経由し、吹出口６へのルートが確保される。そして、二枚のパンチング板２２、２３の平面・凹凸形状の板面及び／又は孔の周壁と、空気Ｂ１中のミストとの衝突及び／又は遠心分離（パンチング板２２、２３の回転を利用した遠心分離構造）を介して、このミストの細分化・分散化を図り、ミストの捕集効率と、空気Ｂ１の清澄化に役立てる。この清澄化した空気Ｂ１は、その孔より吹出口６に向かって吸引される。また、この羽根車２１の回転による吸込み力（吸引力）で、吸込口５からオイルミストＢを吸込み、前述したオイルミストＢと空気Ｂ１の流れは、矢印の如くなる。そして、この吹出側１ｂで分離された少量のオイルは、パンチング板（２２）、２３で飛ばされ壁体１１の外側等の表面を流れながら、最終的には、この吸込側１ａの内面１ｄ下側に至った後、後述するドレン管４５に至る。尚、デミスター２９とパンチング環体２８のオイルは、別のドレン管（図示せず）より排出されることも有り得る。尚、パンチング板２２、２３の孔の位置を交互にする、又は同じ位置とすること等を利用し、前記衝突の回数の向上、又は遠心分離の効率化等も考えられる。
【００４７】
尚、図中３０は装置Ｘの側面に設けられる補助オイルミストコレクタ（補助オイルミスト除去機）のケーシングで、この方形状のケーシング３０には、吸込管３１とその吸込口３１ａと、排出管３２の出口３２ａを有しており、このケーシング３０内には、オイルミストＢの通過通路Ａ５を有しており、この通過通路Ａ５には、デミスター３３とパンチング板３４を有しており、オイルミストＢ中の切屑の除去と、オイルの捕集を意図する。そして、この図示の如く、通常は、オイルミストコレクタの補助用の補助オイルミストコレクタとして利用し、かつこの排出管３２と、オイルミストコレクタの吸込管５ａとは配管４０等を介して連設（連繋）し、装置Ｘとは、吸込管３１に設けた配管４１等を介して、装置Ｘの排出箇所と連設、又は繋がっている。従って、オイルミストコレクタに発生する吸込み力により、装置ＸからのオイルミストＢは、吸込口３１ａより、ケーシング３０内を通り、第一次の清澄化された後、その出口３２ａに至る構造である。
【００４８】
図中４５はオイルミストコレクタの吸込側１ａに設けたドレン管、図中４６は補助オイルミストコレクタに設けたドレン管である。ドレン管４５、４６は、捕集されたオイル及び／又は切屑、異物を排除する。
【００４９】
また、図示しないが、オイルミストコレクタの吸込側１ａに設けたドレン管４５を、装置Ｘに直接接続することもできる。この例を採用する場合は、例えば、オイルミストＢの汚れ、量等の程度、構造の簡略化、分離の程度、或いはこのオイルミストコレクタの性能等の要素を考慮する。
【符号の説明】
【００５０】
１          ケーシング
１ａ        吸込側
１ｂ        吹出側
１ｃ        繋ぎ部
１ｄ        内面
２          側板
３          側板
３ａ        環状枠部
３ｂ        環状板部
３ｃ        底板部
５          吸込口
５ａ        吸込管
６          吹出口
１０        支持板
１０ａ      支持片
１１        壁体
１１ａ      曲折部
１１ｂ      壁面
１２        パンチング筒片
１４        内筒
１５        デミスター
１６        中子筒
１６ａ      開口
１７        窓孔
１８        開口
２０        モータ
２０ａ      出力軸
２１        羽根車
２１ａ      羽根車筐
２１ｂ      吹出口
２２        パンチング板
２３        パンチング板
２５        ベルマウス
２５ａ      開口
２６        遮蔽板
２６ａ      開口
２８        パンチング環体
２９        デミスター
３０        ケーシング
３１        吸込管
３１ａ      吸込口
３２        排出管
３２ａ      出口
３３        デミスター
３４        パンチング板
４０        配管
４１        配管
４５        ドレン管
４６        ドレン管
Ａ          迂回通路
Ａａ        入口側
Ａｂ        出口側
Ａｃ        吹出通路
Ａ１        外側通路
Ａ２        内側通路
Ａ３        中子通路
Ａ４        戻り通路
Ａ５        通過通路
Ｂ          オイルミスト
Ｂ１        空気
Ｘ          装置
【図１】
2010227802.tif 000003
【図２】
2010227802.tif 000004
【図３】
2010227802.tif 000005
【図４】
2010227802.tif 000006
【図５】
2010227802.tif 000007
【図６】
2010227802.tif 000008